(57)【特許請求の範囲】
【請求項１】
画像データセットの視覚化のためのプリセットマップを生成する方法であって、適応されたプリセットマップを生成するために、画像データセット特性に基づいて前記プリセットマップを動的に適応させる適応ステップを含み、
前記適応ステップが、
第1の画像データセットを取り出すステップと、
前記第1の画像データセットに対応するプリセットマップを取り出すステップと、
前記第1の画像データセットから、第1の画像データセット特性の組を導き出すステップであって、前記第1の画像データセットのヒストグラムにおける少なくとも２つの第1のピーク値Ｐ１及びＰ２を決定することを含む、ステップと、
第1のプリセットマップに、前記プリセットマップと共に前記第1の画像データセット特性の組を記憶するステップと、
前記第1のプリセットマップを取り出すステップと、
前記プリセットマップの強度レベル値及び幅値を決定するステップと、
第２の画像データセットを取り出すステップと、
前記第２の画像データセットから、前記第1の画像データセット特性の組に対応する第２の画像データセット特性の組を導き出すステップであって、前記第２の画像データセットのヒストグラムにおける少なくとも２つの第２のピーク値Ｐ１'及びＰ２'を決定することを含む、ステップと、
前記第２の画像データセットのための前記適応されたプリセットマップを生成するために、前記少なくとも２つの第1のピーク値Ｐ１及びＰ２を含む前記第1の画像データセット特性の組、前記少なくとも２つの第２のピーク値Ｐ１'及びＰ２' を含む前記第２の画像データセット特性の組、並びに前記プリセットマップの強度レベル値及び幅値、に基づいて、前記プリセットマップを適応させるステップと、
を含み、前記第1又は前記第２の画像データセット特性の組は、前記第1又は前記第２の画像データセットのヒストグラムの極大／極小の位置及び前記第1又は前記第２の画像データセットのヒストグラムの水平軸に対するグラフの傾斜角度の位置の組み合わせを含む、方法。
【請求項２】
前記プリセットマップは、カラーマップ又は不透明度マップについて規定される、請求項１に記載の方法。
【請求項３】
前記画像データセットは、２次元、３次元又はより多次元の医用画像データセットである、請求項１又は２に記載の方法。
【請求項４】
前記第１又は前記第２の画像データセット特性の組は、前記第1又は前記第２の画像データセットのヒストグラムの極大／極小の位置を含む、請求項１乃至３のいずれか１項に記載の方法。
【請求項５】
前記第1又は前記第２の画像データセット特性の組は、前記第1又は前記第２の画像データセットのヒストグラムの水平軸に対するグラフの傾斜角度の位置を含む、請求項１乃至４のいずれか１項に記載の方法。
【請求項６】
前記第1の画像データセット及び前記第２の画像データセットの全体から、又は前記第1の画像データセット及び前記第２の画像データセットに含まれる規定された関心のあるボリュームから、前記第1の画像データセット特性の組及び前記第２の画像データセット特性の組をそれぞれ導き出すステップを更に含む、請求項１乃至５のいずれか１項に記載の方法。
【請求項７】
３次元視覚化のために、前記適応されたプリセットマップに基づいて前記第２の画像データセットをレンダリングするステップを更に含む、請求項１乃至６のいずれか１項に記載の方法。
【請求項８】
前記画像データセット特性は、前記第２の画像データセットのヒストグラムにおける構造のグレー値位置である、請求項１乃至７のいずれか１項に記載の方法。
【請求項９】
前記プリセットマップを適応させる前記ステップは、式、
0005576117.tif 000003
を計算することを含み、上式で、Level'は、前記第２の画像データセットのための前記適応されたプリセットマップの強度レベル値であり、Width'は、前記第２の画像データセットのための前記適応されたプリセットマップの幅値であり、Levelは、前記第1の画像データセットのための前記プリセットマップの強度レベル値であり、Widthは、前記第1の画像データセットのための前記プリセットマップの幅値である、請求項１乃至８のいずれか１項に記載の方法。
【請求項１０】
前記プリセットマップを適応させる前記ステップは、前記適応されたプリセットマップの強度レベル値及び幅値を計算し、当該計算された強度レベル値及び幅値によって、前記第２の画像データセットに前記プリセットマップを位置合わせすることを含む、請求項１乃至９のいずれか１項に記載の方法。
【請求項１１】
画像データセットの視覚化のためのプリセットマップを生成する装置であって、適応されたプリセットマップを生成するために、画像データセット特性に基づいて、前記プリセットマップを動的に適応させるユニットを有し、
前記ユニットが、
第1の画像データセットを取り出す第1の取り出しユニットと、
前記第1の画像データセットに対応するプリセットマップを取り出す第２の取り出しユニットと、
前記第1の画像データセットから、第1の画像データセット特性の組を導き出す第1の導出ユニットであって、前記第1の画像データセットのヒストグラムにおける少なくとも２つの第1のピーク値Ｐ１及びＰ２を決定する、第1の導出ユニットと、
第1のプリセットマップに、前記プリセットマップと共に前記第1の画像データセット特性の組を記憶する記憶ユニットと、
前記第1のプリセットマップを取り出す第３の取り出しユニットと、
前記プリセットマップの強度レベル値及び幅値を決定するパラメータ導出ユニットと、
第２の画像データセットを取り出す第４の取り出しユニット、
前記第２の画像データセットから、前記第1の画像データセット特性の組に対応する第２の画像データセット特性の組を導き出す第２の導出ユニットであって、前記第２の画像データセットのヒストグラムにおける少なくとも２つの第２のピーク値Ｐ１'及びＰ２'を決定する、第２の導出ユニットと、
前記第２の画像データセットのための前記適応されたプリセットマップを生成するために、前記少なくとも２つの第1のピーク値Ｐ１及びＰ２を含む前記第1の画像データセット特性の組、前記少なくとも２つの第２のピーク値Ｐ１'及びＰ２'を含む前記第２の画像データセット特性の組、並びに前記プリセットマップの強度レベル値及び幅値、に基づいて、前記プリセットマップを適応させる適応ユニットと、
を有し、前記第1又は前記第２の画像データセット特性の組は、前記第1又は前記第２の画像データセットのヒストグラムの極大／極小の位置及び前記第1又は前記第２の画像データセットのヒストグラムの水平軸に対するグラフの傾斜角度の位置の組み合わせを含む、装置。
【請求項１２】
前記第１、前記２、前記３及び前記第４の取り出しユニットは、１つの取り出しユニットに一体化される、請求項１１に記載の装置。
【請求項１３】
前記第１及び第２の導出ユニットは、一体化される、請求項１１又は１２に記載の装置。
【請求項１４】
前記適応されたプリセットマップに基づいて前記第２の画像データセットの３次元視覚化をレンダリングするレンダリングユニットを更に有する、請求項１１乃至１３のいずれか１項に記載の装置。
【請求項１５】
前記レンダリングされた３次元視覚化をユーザに表示する表示ユニットを更に有する、請求項１４に記載の装置。
【請求項１６】
前記装置は、医用ワークステーションに含まれる、請求項１１乃至１５のいずれか１項に記載の装置。
【請求項１７】
画像データセットの視覚化のためのプリセットマップを生成するためのコンピュータにより処理されるコンピュータプログラムを記憶したコンピュータ可読媒体であって、前記コンピュータプログラムは、適応されたプリセットマップを生成するために、画像データセット特性に基づいて、前記プリセットマップを動的に適応させる適応コードセグメントを含み、
前記適応コードセグメントは、
第1の画像データセットを取り出すための第1の取り出しコードセグメントと、
前記第1の画像データセットに対応するプリセットマップを取り出すための第２の取り出しコードセグメントと、
前記第1の画像データセットから、第1の画像データセット特性の組を導き出すための第1の導出コードセグメントであって、前記第1の画像データセットのヒストグラムにおける少なくとも２つの第1のピーク値Ｐ１及びＰ２を決定する、第1の導出コードセグメントと、
第1のプリセットマップに、前記プリセットマップと共に前記第1の画像データセット特性の組を記憶するためのコードセグメントと、
前記第1のプリセットマップを取り出すための第３の取り出しコードセグメントと、
前記プリセットマップの強度レベル値及び幅値を決定するためのパラメータ導出コードセグメントと、
第２の画像データセットを取り出すための第４の取り出しコードセグメントと、
前記第２の画像データセットから、前記第1の画像データセット特性の組に対応する第２の画像データセット特性の組を導き出すための第２の導出コードセグメントであって、前記第２の画像データセットのヒストグラムにおける少なくとも２つの第２のピーク値Ｐ１'及びＰ２'を決定する、第２の導出コードセグメントと、
前記第２の画像データセットのための前記適応されたプリセットマップを生成するために、前記少なくとも２つの第1のピーク値Ｐ１及びＰ２を含む前記第1の画像データセット特性の組、前記少なくとも２つの第２のピーク値Ｐ１'及びＰ２'を含む前記第２の画像データセット特性の組、並びに前記プリセットマップの強度レベル値及び幅値、に基づいて、前記プリセットマップを適応させるためのコードセグメントと、
を含み、前記第1又は前記第２の画像データセット特性の組は、前記第1又は前記第２の画像データセットのヒストグラムの極大／極小の位置及び前記第1又は前記第２の画像データセットのヒストグラムの水平軸に対するグラフの傾斜角度の位置の組み合わせを含む、コンピュータ可読媒体。
【請求項１８】
前記コンピュータプログラムが、前記適応されたプリセットマップに基づいて、前記第２の画像データセットの３次元視覚化をレンダリングするためのレンダリングコードセグメントを更に含む、請求項１７に記載のコンピュータ可読媒体。
【請求項１９】
前記コンピュータプログラムが、前記レンダリングされた３次元視覚化をユーザに表示するための表示コードセグメントを更に含む、請求項１８に記載のコンピュータ可読媒体。
【請求項２０】
請求項１乃至１０のいずれか１項に記載の方法の各ステップをコンピュータに実行させるためのプログラムを記憶したコンピュータ可読媒体。
【発明の詳細な説明】
【技術分野】
【０００１】
本発明は、一般に、画像解析の分野に関する。本発明は、特に、例えばコンピュータトモグラフィ（ＣＴ）、磁気共鳴イメージング（ＭＲＩ）及び超音波イメージング（ＵＳ）からの、走査ボリュームに存在する構造を表示するための３次元ボリューム視覚化に関する。
【背景技術】
【０００２】
３Ｄボリューム視覚化は、例えばＣＴ、ＭＲＩ又はＵＳからの走査ボリュームに存在する構造を表示するために一般に容認されている技法である。この視覚化技法は、入力として、色及び不透明度マップを必要とする。不透明度マップは、視覚化されるべき構造を規定し、カラーマップは、構造の色付けを規定する。色及び不透明度マップの手作業による規定は、単純明快でない。この問題に対処するために、プリセットが、色及び不透明度マップについて規定される。しかしながら、プリセットは、特定のボクセル値を有するボリュームについて規定される。プリセットの結果は、さまざまな異なるボクセル値を有する構造を含むボリュームに適用される場合、妥当ではない。
【０００３】
ビューイングアプリケーションにおいて、３Ｄ視覚化技法が、ボリュームデータの内容を見るために使用される。魅力的な３Ｄ視覚化を生成するために、カラーマップ及び不透明度マップが、規定される。しかしながら、これらのマップを生成することは、単純明快でない。しばしば、ユーザは、この面倒な作業を実施しなければならない代わりに、プリセットされた色及び不透明度マップから選択することができる。
【０００４】
フィリップスＶｉｅｗＦｏｒｕｍワークステーションは、ボリューム走査（ＣＴ又はＭＲ）から３Ｄ視覚化を生成する可能性を提供する。ユーザは、いわゆる表面を影付けされた直接ボリュームレンダリングアルゴリズムの助けにより、３Ｄ視覚化を生成することができる。このレンダリング技法により、ボリューム走査から現実感のある画像を生成することが可能である。色及び不透明度マップに存在する値に依存して、ボリューム走査に存在する異なる構造が、視覚化されることができる。
【０００５】
フィリップスＶｉｅｗＦｏｒｕｍワークステーションにおいて、ユーザは、色及び不透明度マップについて、広範囲にわたる規定されたプリセットから選択できる。これらのプリセットは、制限された数のボリューム走査に関して生成され、テストされ、特定の構造を視覚化するために調整される。
【発明の開示】
【発明が解決しようとする課題】
【０００６】
現在、プリセットは静的である。これは、色及び不透明度マップの内容がレンダリングアルゴリズムに直接渡されることを意味する。これは、プリセットが、特定の構造を視覚化するために特定のボリューム走査に関して作られる場合、このプリセットが、他のボリューム走査に供給されるときに相当する３Ｄ視覚化を生じさせることが保証されないことを意味する。
【０００７】
それゆえ、高められた柔軟性、費用効果及び視覚化解像度を可能にする改良された方法、装置及びコンピュータ可読媒体が有利である。
【０００８】
従って、本発明は、好適には、単独で又は組み合わせて、当分野における上述した不足及び不利な点の１又は複数を緩和し、軽減し又は除去することに努め、添付の特許請求の範囲により、方法、装置及びコンピュータ可読媒体を提供することによって少なくとも上述の問題を解決する。
【課題を解決するための手段】
【０００９】
本発明の１つの見地によれば、画像データセットの視覚化のためのプリセットマップを生成する方法が提供される。方法は、適応されたプリセットマップを生成するために、画像データセット特性に基づいて、プリセットマップを動的に適応させることを含む。
【００１０】
本発明の別の見地によれば、画像データセットの視覚化のためのプリセットマップを生成する装置が提供される。装置は、適応されたプリセットマップを生成するために、画像データセット特性に基づいてプリセットマップを動的に適応させるユニットを有する。
【００１１】
本発明の更に別の見地によれば、コンピュータ可読媒体が提供される。コンピュータ可読媒体は、画像データセットの視覚化のためのプリセットマップを生成するためのコンピュータにより処理されるコンピュータプログラムを包含する。コンピュータプログラムは、適応されたプリセットマップを生成するために、画像データセット特性に基づいてプリセットマップを動的に適応させるコードセグメントを含む。
【００１２】
いくつかの実施例による方法を使用する場合、さまざまな異なるボリューム走査から生成された同じ構造の３Ｄ視覚化は、色及び透明度に関して、相当する画像をもたらす。
【００１３】
本発明が能力をもつこれら及び他の見地、特徴及び利点は、添付の図面を参照して、本発明の実施例の以下の説明から明らかであり、解明されるであろう。
【発明を実施するための最良の形態】
【００１４】
本発明は、プリセットが生成されたボリュームとプリセットが供給されるボリュームとの間のグレー値類似を識別するために使用されることができる方法を提供する。この類似尺度は、プリセットを調整するために使用される。その結果、構造及び色を含む相当する３次元画像が、生成される。
【００１５】
以下の説明は、ボリュームレンダリングされた画像（画像データセット）の表示のために視覚化パラメータプリセットを使用するアプリケーションに適用できる本発明の実施例に焦点をあてる。視覚化パラメータプリセットの実施例は、カラーマップ及び不透明度マップである。
【００１６】
本発明の基本的な考えは、３Ｄ視覚化のためのレンダリングアルゴリズムにプリセット値を渡す前に、第１のボリューム走査（３Ｄ又は多次元画像データセット）に対応するプリセットマップのプリセット値を、現在の特定ボリューム走査に合わせる又は適応させることである。
【００１７】
一実施例において、画像データセットの視覚化のためのプリセットマップを生成する方法が提供される。プリセットマップは、例えばカラーマップ又は不透明度マップでありうる。方法は、適応されたプリセットマップを生成するために、画像データセット特性に基づいてプリセットマップを動的に適応させることを含む。
【００１８】
図１による本発明の一実施例において、プリセットマップを動的に適応させることは、第1の画像データセットを取り出し（１１）、第1の画像データセットに対応するプリセットマップを取り出し（１２）、第１の画像データセットから第１の画像データセット特性を導き出し（１３）、第1のプリセットマップに、プリセットマップと共に第1の画像データセット特性を記憶し（１４）、第２の画像データセットを取り出し（１５）、第1のプリセットマップを取り出し（１６）、第１の画像データセットの画像データセット特性に対応する第２の画像データセットの画像データセット特性を導き出し（１７）、適応されたプリセットマップを生成するために、第１の画像データセット特性及び第２の画像データセット特性に基づいて、第１のプリセットマップを適応させる（１８）ことを含む。
【００１９】
この実施例は、第１の画像データセットと同様の構造を記述する解析されるべき各々の新しい（第２、第３等の）画像データセットについて使用されることができる。この実施例の大きな利点は、新しい画像データセットについてのプリセットマップが、プリセットマップから画像データセット特性に基づいて適応されるが、新しい画像データセットの画像データセット特性について適応され、ゆえに、最終的な３Ｄ視覚化の結果が、大幅に改善されることである。
【００２０】
一実施例において、方法は更に、ディスプレイに示されるように、適応されたプリセットマップに基づいて３Ｄ視覚化をレンダリングする（１９）ことを含む。
【００２１】
一実施例において、画像データセット特性は、画像データセットのヒストグラムに存在する極大／極小の位置でありうる。一実施例による方法を使用することによって、画像データセットを比較し、第1の画像データセットと新しい画像データセットの同様の位置の間の差を利用して、プリセットマップを修正することが可能である。
【００２２】
一実施例において、画像データセット特性は、画像データセットのヒストグラムに存在する傾斜角度の位置でありうる。傾斜角度は、グラフがヒストグラムの水平軸に対してなす角度（例えば最大傾斜角度の位置）である。最小／最大のグラフ値位置及び例えば最小／最大傾斜角度の位置が、ヒストグラムを記述するために使用されることができる。
【００２３】
一実施例において、画像データセット特性は、極大／極小の位置及び傾斜角度の位置の組み合わせでありうる。
【００２４】
一実施例において、画像データセット特性は、画像データセットの補間されたヒストグラムの第1の導関数でありうる。
【００２５】
画像データセット特性は、画像データセット全体から、又は、画像データセットに含まれる規定された関心のあるボリュームから、又は画像データセット内の構造から、導き出されることができる。
【００２６】
一実施例において、プリセットマップは、色又は不透明度マップについて規定される。
【００２７】
本発明の一実施例において、画像データセットは、例えばコンピュータトモグラフィ、磁気共鳴イメージング又は超音波イメージングにより生成される、１又は複数のボリューム走査を記述する３Ｄ又はより多次元の画像データセットである。
【００２８】
新しい画像データセットが第1の画像データセットと同様の構造を含むかどうか決定するいくつかの方法がある。第1の画像データセットパラメータが導き出される第1の画像データセットと、対応する画像パラメータが導き出される新しい画像データセットとの間に相関があるとき、いくつかの実施例による方法は、満足に機能する。さまざまな異なるコンピュータービジョン及び画像解析技術が、第1の画像データセットに位置する構造を、新しい画像データセット内の構造に相関付けるために使用されることができる。画像データセットの構造を識別するための一般に知られている技法は、第1の及び新しい画像データセットにおいて実施されることができるセグメンテーションである。セグメント化された構造のヒストグラムの間の類似を比較することは、ボリューム全体のヒストグラムを比較することよりずっと簡単である。セグメンテーションが手作業で実施される場合、構造をセグメント化する人は、構造が正しくセグメント化されることを確実にしなければならない。多くの場合、セグメンテーションは、例えばコンピュータプログラムによって、自動的に実施されることができる。
【００２９】
プリセットマップのパラメータは、視覚表現のタイプに関して異なりうる。図２による一実施例において、プリセットマップ、第1のプリセットマップ及び適応されたプリセットマップのパラメータは、レベル（Level）及び幅（Width）である。これらのパラメータは、プリセットマップの全体的な特性を記述する。図２は、値（０．０，０．２）、（１００．０，０．２）、（２００．０，０．５）、（３００．０，１．０）、（５００．０，１．０）を含む不透明度マップを示している。幅は、ｙ軸に関する最後及び最初の変更マップ値の差として規定される。こうして、この不透明度マップの幅は、３００．０  ―  １００．０＝２００．０に等しい。レベルは、最初及び最後の変更プリセットマップ値の間の中心位置として規定される。従って、レベルは、所与の不透明度マップについて２００．０に位置付けられる。レベル及び幅値は、プリセットマップ全体を位置づけ、スケーリングするために更に使用されることができ、これは、新しい画像データセット（ヒストグラム）から計算される適応されたレベル値が１００．０であることがわかる場合、マップ全体が、左へ１００シフトすることを意味する。幅値が変化する場合、マップ値は、ｘ軸方向において引き伸ばされ又は縮められる（スケーリングされる）。これは、見つけられたヒストグラム特性がマップ全体に適用される特定の実施例であることに留意すべきである。他の実施例において、更に、全体的なスケールの代わりに、見つけられた画像データセット（ヒストグラム）特性をより局所的にプリセットマップに適用することが、すなわち、複数の見つけられた画像データセット（ヒストグラム）位置の局所的なスケールが、当然に可能である。これは、パラメータに基づくいくつかのレベル及び幅位置が、画像データセットのヒストグラムに見つけられる異なる位置について、プリセットマップにおいて使用されることができることを意味する。
【００３０】
適応された（複数の）プリセットマップは、画像データセットに存在する特定の構造を視覚化する目的で生成されることができる。画像データセットから、この構造の特性は、一実施例による方法を使用して、導き出され、プリセットマップと共に記憶される。いくつかの実施例による方法を使用することによって、それぞれ異なる画像データセットから生成される同じ構造の３Ｄ視覚化は、色及び透明度に関して、相当する画像をもたらす。
【００３１】
一実施例において、第1のプリセットマップは、一度計算されるだけであり、いくつかの新しい画像データセットに適用されることができる。このようにして、ステップ１１―１４は、一度実施され、ステップ１５―１８及び任意にはステップ１９は、新しい画像データセットの各々について実施される。
【００３２】
図３による一実施例において、一実施例による方法が、ＭＲＩ画像データセットに存在する心臓の視覚化のために実際に実現される。心臓は、２つの識別可能な構造、すなわち軟組織及び血液プールを含む。こうして、本実施例において、画像データセットから導き出される特性は、画像データセットのヒストグラムにおけるこれらの構造のグレー値位置である。これらの画像データセット特性を導き出す前に、心臓の画像データセットは、セグメント化されることができる。図３ａにおいて、例えば異なる病院からくる３つの異なる画像データセットからの３つのヒストグラムＡ、Ｂ、Ｃは、心臓の２つの識別可能な部分を示す。これらのヒストグラムにおいて、２つのピークＰ１、Ｐ１'、Ｐ１''及びＰ２、Ｐ２'、Ｐ２''は、それぞれ、２つの識別可能な構造を表す。いくつかの実施例による方法を使用することによって、第1のプリセットマップが、図３ａに示される第1のヒストグラム及び例えば２つのピーク値Ｐ１及びＰ２のような第1の画像データセット特性に基づいて、生成される。この第1のプリセットマップが、他の２つの画像データセットに適用される場合、第1のプリセットマップは、以下の態様で適応されることができる。最初に、プリセットマップ及びピーク値Ｐ１及びＰ２の画像データセット特性を含む第1のプリセットマップが、取り出される（図１のステップ１２）。そののち（図１のステップ１３において、）プリセットマップについて強度レベル３１１及び幅３１２が、決定され、新しい画像データセットの新しいピーク値Ｐ１´及びＰ２´も決定され、更に、新しい強度レベル値（Level'）３２１、３３１及び幅値（Width'）３２２、３３２が、例えば大きな計算能力を要求しない以下の式を使用することによって、計算される：
0005576117.tif 000002
【００３３】
図３ｂに示される最後のステップ、すなわち適応ステップ２３は、新しいレベル'値321,331及び幅'値３２２、３３２によって、第１のプリセットマップを新しい画像に位置合わせする（図２を参照）ことによって、適応されたプリセットマップを生成する（３４）ことを伴う。本実施例における方法は、画像データセットのヒストグラムを利用するので、結果として得られる適応されたプリセットマップは、ヒストグラム駆動のプリセットと呼ぶことができる。従来技術による方法である、図３ｂのヒストグラムＣに適用されるプリセットマップ３１、すなわち画像特性が含まれない元のプリセットマップは、ほぼ空の３次元画像をもたしうる点に留意する必要がある。これは、従来技術よりすぐれた本発明のいくつかの実施例の大きな利点を示す。
【００３４】
本発明は、プリセットマップ及び第１の画像データセット特性を含む第１のプリセットマップを生成するために、第１の画像データセットの画像データセット特性を識別する方法を提供する。更に、本発明は、３Ｄ視覚化を改善するために第1のプリセットマップを新しい画像データセットに適応させる方法を提供する。
【００３５】
一実施例において、画像データセットの視覚化のためのプリセットマップを生成する装置（４０）が提供される。装置は、適応されたプリセットマップを生成するために、画像データセット特性に基づいてプリセットマップを動的に適応させるユニットを有する。
【００３６】
図４による一実施例において、装置（４０）の動的に適応させるユニットは、第1の画像データセットを取り出すための第1の取り出しユニット４１、及びプリセットマップを取り出すための第２の取り出しユニット４２を有する。更に、装置は、第1の画像データセットから第1の画像データセット特性を導き出すための第1の導出ユニット４３、及び第1のプリセットマップに、プリセットマップと共に第1の画像データセット特性を記憶するための記憶ユニット４４と、を有する。装置は更に、新しい画像データセットを取り出すための第３の取り出しユニット４５、及び第1のプリセットマップを取り出すための第４の取り出しユニット４６を有する。更に、装置は、第1の画像データセットから第２の画像データセット特性を導き出すための第２の導出ユニット４７、及び第1の画像データセット特性及び第２の画像データセット特性に基づいて、第1のプリセットマップを適応させて、適応されたプリセットマップを生成する適応ユニット４８、を有する。
【００３７】
一実施例において、第1、第２、第３及び第４の取り出しユニットは、ただ１つの取り出しユニットに組み込まれる。
【００３８】
一実施例において、第１及び第２の導出ユニットは、ただ１つの導出ユニットに組み込まれる。
【００３９】
本発明の一実施例において、装置４０は、適応されたプリセットマップに基づいて、第２の画像データセットの３Ｄ視覚化をレンダリングするためのレンダリングユニット４９１を有する。
【００４０】
一実施例において、装置は更に、ユーザに、レンダリングされた３Ｄ視覚化を表示するための表示ユニット４９２を有する。
【００４１】
（複数の）取り出しユニット、（複数の）導出ユニット、記憶ユニット、最適化ユニット及びレンダリングユニットは、このようなタスクのために通常使用されるいかなるユニットであってもよく、例えばメモリを有するプロセッサのようなハードウェアでありうる。プロセッサは、例えばＩｎｔｅｌ又はＡＭＤプロセッサ、ＣＰＵ、マイクロプロセッサ、プログラマブルインテリジェントコンピュータ（ＰＩＣ）マイクロコントローラ、デジタル信号プロセッサ（ＤＳＰ）等の多様なプロセッサのいかなるものであってもよい。しかしながら、本発明の範囲は、これらの特定のプロセッサに限定されない。メモリは、例えばダブルデンシティＲＡＭ（ＤＤＲ、ＤＤＲ２）、シングルデンシティＲＡＭ（ＳＤＲＡＭ）、スタティックＲＡＭ（ＳＲＡＭ）、ダイナミックＲＡＭ（ＤＲＡＭ）、ビデオＲＡＭ（ＶＲＡＭ）等のランダムアクセスメモリ（ＲＡＭ）のような、情報を記憶する能力をもついかなるメモリであってもよい。メモリは、更に、例えばＵＳＢ、コンパクトフラッシュ（登録商標）、スマートメディア、ＭＭＣメモリ、ＭｅｍｏｒｙＳｔｉｃｋ、ＳＤカード、ＭｉｎｉＳＤ、ＭｉｃｒｏＳＤ、ｘＤカード、ＴｒａｎｓＦｌａｓｈ及びＭｉｃｒｏＤｒｉｖｅメモリ等のフラッシュメモリであってもよい。しかしながら、本発明の範囲は、これらの特定のメモリに制限されない。
【００４２】
一実施例において、装置４０は、医用ワークステーション、又例えばコンピュータトモグラフィ（ＣＴ）システム、磁気共鳴イメージング（ＭＲＩ）システム又は超音波イメージング（ＵＳ）システムのような医用システムに含まれる。
【００４３】
一実施例において、画像データセットの視覚化のためのプリセットマップを生成するためのコンピュータにより処理されるコンピュータプログラムをその上に具体化したコンピュータ可読媒体（５０）が提供される。コンピュータプログラムは、適応されたプリセットマップを生成するために、画像データセット特性に基づいてプリセットマップを動的に適応させるためのコードセグメントを有する。
【００４４】
図５による一実施例において、コードセグメントは、いくつかの実施例による方法を実施するためのコードセグメントを更に含む。コンピュータプログラムは、第1の画像データセットを取り出すための第1の取り出しコードセグメント５１を含む。更に、コンピュータプログラムは、プリセットマップを取り出すための第２の取り出しコードセグメント５２を含む。更に、コンピュータプログラムは、第1の画像データセットから第1の画像データセット特性を導き出すための第1の導出コードセグメント５３と、第1のプリセットマップに、プリセットマップと共に第1の画像データセット特性を記憶するための記憶コードセグメント５４と、を含む。コンピュータプログラムは、更に、新しい画像データセットを取り出すための第３の取り出しコードセグメント５５と、第1のプリセットマップを取り出すための第４の取り出しコードセグメント５６と、を含む。更に、コンピュータプログラムは、第1の画像データセットから第２の画像データセット特性を導き出すための第２の導出コードセグメント５７と、適応されたプリセットマップを生成するために、第1の画像データセット特性及び第２の画像データセット特性に基づいて、第1のプリセットマップを適応させるための最適化コードセグメント５８と、を含む。
【００４５】
一実施例において、コンピュータプログラムは、適応されたプリセットマップに基づいて、第２の画像データセットの３Ｄ視覚化をレンダリングするためのレンダリングコードセグメント５９１を含む。この３Ｄ視覚化は、陰付けされるボリュームレンダリングアルゴリズム、又は関心のある構造を視覚化するのを助けるためにプリセットマップを使用する他の任意のアルゴリズムの助けにより生成されることができる。
【００４６】
一実施例において、コンピュータプログラムは更に、ユーザに、レンダリングされた３Ｄ視覚化を表示するための表示コードセグメント５９２を含む。ユーザは、いくつかのプリセットを含むプリセットリストからプリセットを選択することができる。このプリセットリストは、新しい画像データセットに適用される場合、プリセットの小さいバージョンを事前に表示することができる。
【００４７】
別の実施例において、コンピュータ可読媒体は、コンピュータ処理特性を有する装置によりランされるとき、実施例の任意のものに規定される方法ステップの全てを実施するように構成されるコードセグメントを含む。
【００４８】
本発明による上述の実施例の適用及び使用は、多様であり、同じ関心のある構造を含む画像データセットについて３Ｄ視覚化を個別に扱うために、画像データセット特性とともにプリセットマップを使用することから利益を得ることができるすべての例示的な分野を含む。
【００４９】
本発明は、ハードウェア、ソフトウェア、ファームウェア又はこれらのいかなる組み合わせをも含む任意の適切な形で実現されることができる。しかしながら、好適には、本発明は、１又は複数のデータプロセッサ及び／又はデジタル信号プロセッサ上で走るコンピュータソフトウェアとして実現される。本発明の一実施例の構成要素及び素子は、任意の適切なやり方で、物理的に、機能的に及び論理的に実現されることができる。実際、機能は、単一のユニットにおいて、複数のユニットにおいて、又は、他の機能ユニットの一部として実現されることができる。このように、本発明は、単一のユニットにおいて実現されることができ、又はさまざまな異なるユニット及びプロセッサの間で物理的に及び機能的に分散されることができる。
【００５０】
本発明は、特定の実施例に関して上述されているが、本願明細書に記載される特定の形に制限されることは意図されない。むしろ、本発明は、添付の請求項によってのみ制限され、特定の上述したもの以外の別の実施例が、これらの添付の請求項の範囲内で同等に可能である。請求項において、「有する／含む」なる語は、他の構成要素又はステップの存在を除外しない。更に、複数の手段、構成要素又はステップが、個々に列挙されているが、例えば単一のユニット又はプロセッサにより実現されることができる。加えて、個別のフィーチャが、それぞれ異なる請求項に含まれうるが、これらは、可能性として有利に組み合わせられることができ、それぞれ異なる請求項に含まれているということは、特徴の組み合わせが実現可能でなく、及び／又は有利でないことを意味しない。加えて、単数での言及は、複数の存在を除外しない。不定冠詞及び「第１」、「第２」等は、複数の存在を除外しない。請求項における参照符号は、明らかにする例として単に提供されるものであり、いかなる形であれ請求項の範囲を制限するものとして解釈されるべきではない。
【図面の簡単な説明】
【００５１】
【図１】一実施例による方法を示すフローチャート。
【図２】一実施例によるプリセットマップを示す図。
【図３】一実施例による方法の実際的な具体化を示す図。
【図４】一実施例による装置の概略図。
【図５】一実施例によるコンピュータ可読媒体の概略図。
【図１】
0005576117.tif 000004
【図２】
0005576117.tif 000005
【図３ａ】
0005576117.tif 000006
【図３ｂ】
0005576117.tif 000007
【図４】
0005576117.tif 000008
【図５】
0005576117.tif 000009